(57)【要約】【課題】  建物の壁表に設置しても見栄えが良く、また、コンクリート埋設しても取付部内にコンクリートが侵入しない配線ボックス及びボックスカバーを提供することである。【解決手段】  底壁と該底壁から立設した周壁とからなり一方に開口を有する箱状をなし、前記周壁から内方へと突出形成されたナットが内装された取付部を備えた配線ボックスである。前記取付部には、前記ナット収容空間へナットを内装可能なナット挿入口が、前記取付ビスの螺入方向に対して直交する方向であって、前記ボックス本体の内方に向けて開口するように設けられ、前記ナット収容空間は周壁を隔ててボックス本体外部と遮断されている。【選択図】図１
2010114972.tif 000002
【特許請求の範囲】
【請求項１】
底壁と該底壁から立設した周壁とからなり一方に開口を有する箱状をなし、前記周壁に、配線器具又はボックスカバーを取り付けるための取付ビスが螺入するナットが内装されるナット収容空間を有し前記周壁から内方へと突出形成された取付部を備えたボックス本体と、前記取付部に内装されるナットと、からなる配線ボックスであって、
前記取付部には、前記ナット収容空間へナットを内装可能なナット挿入口が、前記取付ビスの螺入方向に対して直交する方向であって、前記ボックス本体の内方に向けて開口するように設けられ、前記ナット収容空間は周壁を隔ててボックス本体外部と遮断されていることを特徴とする配線ボックス。
【請求項２】
前記取付部は、対向する周壁に対をなして形成されてなり、前記ナット挿入口は、一対の取付部どうしで互いに向かい合うように形成されていることを特徴とする請求項１に記載の配線ボックス。
【請求項３】
建物の壁表に全体が露出した状態で設置すべく、前記底壁を建物の壁側に向けて固定される配線ボックスであり、
前記周壁には、ボックス本体内にケーブルを導くための貫通孔が形成され、前記貫通孔のみが周壁を貫通してボックス本体内部と外部とを連通させることを特徴とする請求項１又は請求項２に記載の配線ボックス。
【請求項４】
建物の壁表に全体が露出した状態で設置すべく、前記底壁を建物の壁側に向けて固定される配線ボックスであり、
前記周壁は、ボックス本体内にケーブルを導くための貫通孔を形成する１又は複数の貫通孔形成予定部が設けられ、
前記貫通孔形成予定部は、除去可能な閉塞部を備え、閉塞部を除去することで前記貫通孔を形成可能であり、さらに、周壁の全体に亘ってボックス本体内部と外部とは連通していないことを特徴とする請求項１又は請求項２に記載の配線ボックス。
【請求項５】
建物の壁表に全体が露出した状態で設置される配線ボックスであり、
前記周壁及び底壁は、その全体に亘ってボックス本体内部と外部とが連通していないことを特徴とする請求項１又は請求項２に記載の配線ボックス。
【請求項６】
コンクリート壁内に埋設される配線ボックスであり、
前記周壁及び／又は底壁には、ボックス本体内にケーブルを導くための貫通孔を形成する１又は複数の貫通孔形成予定部が形成され、前記貫通孔形成予定部は、除去可能な閉塞部を備え、閉塞部を除去することで貫通孔を形成可能であることを特徴とする請求項１又は請求項２に記載の配線ボックス。
【請求項７】
前記ボックス本体の内方に向けて開口するナット挿入口及び前記ナット収容空間は、前記取付部が設けられた周壁の取付部近傍となる周壁内面の少なくとも一部を形成するとともに、ボックス本体の内方にスライド移動する金型のスライド駒によって射出成形時に前記周壁内面とともに形成されたことを特徴とする請求項１乃至請求項６に記載の配線ボックス
【請求項８】
配線器具を取り付けるための取付ビスが螺入されるナットが内装された取付部を備えてなり、一方に開口を有する箱状をなす配線ボックスの開口側に固定され、配線ボックスの開口の一部を残して閉塞するボックスカバーであって、
前記ボックスカバーは、前記ボックスに固定される固定部と、前記ボックスの開口を塞ぐ閉塞部と、を有し、
前記ボックスの開口の一部を外方へと臨ませるべく前記閉塞部の一部に貫通開口が形成され、
前記貫通開口には、前記ナットが内装されるナット収容空間を有した取付部が形成され、
前記取付部には、前記ナット収容空間へナットを内装可能なナット挿入口が、前記取付ビスの螺入方向に対して直交する方向であって、前記貫通開口の内方に向けて開口するように設けられていることを特徴とするボックスカバー。
【発明の詳細な説明】
【技術分野】
【０００１】
本発明は、配線器具又はボックスカバーを取り付けるためのビスが螺合される取付部を有する配線ボックス、及び、配線器具を取り付けるためのビスが螺合される取付部を有するボックスカバーに関するものである。
【背景技術】
【０００２】
従来より、配線ボックスには、スイッチやコンセント等の配線器具又は配線ボックスの前面の一部又は全部を覆うボックスカバーを取り付けるために取付ビスが螺合されるナットが内装された取付部を備えている。当該取付部は、配線ボックス内に底壁から立設した配線ボックス裏面に挿入口を有する中空筒状の取付部を設け、前記挿入口よりナットを圧入することで、取付部内のナット収容空間へナットを内装していた。この取付部は、取り付けられたコンセントにコンセントプラグを抜き差しする負荷が直接かかるため、筒状とすることで、その強度を十分に備えていた。しかし、ナットの挿入方向が取付ビスの挿入方向と一直線上であるため、取付ビスの螺入時に該ビスの先端に押されて、ナットが反圧入方向側へ移動し、前記ボックス裏面の挿入口から脱落してしまうことがあった。
【０００３】
そこで、上記問題を解決するために、特許文献１にあるように、配線ボックスの周壁の外面から前記ビスのナットへの螺入方向に対して直交する方向へ延びるように形成され、取付部内のナット収容空間へと通じる挿入口を設けて、配線ボックス外方から取付部内へとナットを内装することが知られている。このような構成によると、挿入口はビスの螺入方向と直交する方向に設けられており、ナットがビスによって押されて取付部から外れることが無いようになっている。
【特許文献１】特開平９−２８０１７号公報
【発明の開示】
【発明が解決しようとする課題】
【０００４】
しかしながら、取付部の挿入口が周壁の外面に露出しており、ナット収容空間とボックス外部とが連通しているため、ボックスを建物の壁表等に露出させて設置すると、雨水や埃が侵入・堆積してしまうとともに、取付ビスとボックスの隙間やナットとボックスの隙間等からボックス内へと侵入してしまったり、錆が発生して配線器具の交換や点検時に取付ビスが取り外せなくなってしまう等の恐れがあり実用的でなかった。また、コンクリートに埋設するときには、コンクリートが挿入口を通じてナットの螺合部にまで侵入してしまう恐れがあるため、挿入口を養生テープで塞ぐ必要があり、手間であった。
さらには、取付部の基端は中空に形成されており、長年設置された配線ボックスの取付部の基端には、前記コンセントプラグの抜き差しする負荷が相当かかり、変形したり折れてしまう恐れがあった。
【０００５】
また、配線ボックスの成形時に金型内にナットを予め配置して射出成形するインサート成形法により成形することも考えられるが、インサート成形法は、離型させた金型内にナットを配置するため、配線ボックス本体の成形とナット収容空間へナットを収容する工程とを別に行う成形方法に比べて、成形速度が遅く、また、金型が複雑で高価であった。さらには、ナットが適正に金型内に配置されていなくても成形できてしまうため、取付ビスが螺入できない向きにインサートされている場合もあり、その検査は非常に手間であった。
【０００６】
本発明は、建物の壁表に設置しても見栄えが良く、また、コンクリート埋設しても取付部内にコンクリートが侵入しない配線ボックス及びボックスカバーの提供を課題とするものである。
【課題を解決するための手段】
【０００７】
上記問題点を解決するために、請求項１に記載の発明は、底壁と該底壁から立設した周壁とからなり一方に開口を有する箱状をなし、前記周壁に、配線器具又はボックスカバーを取り付けるための取付ビスが螺入するナットが内装されるナット収容空間を有し前記周壁から内方へと突出形成された取付部を備えたボックス本体と、前記取付部に内装されるナットと、からなる配線ボックスであって、前記取付部には、前記ナット収容空間へナットを内装可能なナット挿入口が、前記取付ビスの螺入方向に対して直交する方向であって、前記ボックス本体の内方に向けて開口するように設けられ、前記ナット収容空間は周壁を隔ててボックス本体外部と遮断されていることを要旨としている。
【０００８】
請求項２に記載の発明は、請求項１に記載の発明において、前記取付部は、対向する周壁に対をなして形成されてなり、前記ナット挿入口は、一対の取付部どうしで互いに向かい合うように形成されていることを要旨としている。
【０００９】
請求項３に記載の発明は、請求項１又は請求項２に記載の発明において、建物の壁表に全体が露出した状態で設置すべく、前記底壁を建物の壁側に向けて固定される配線ボックスであり、前記周壁には、ボックス本体内にケーブルを導くための貫通孔が形成され、前記貫通孔のみが周壁を貫通してボックス本体内部と外部とを連通させることを要旨としている。
【００１０】
請求項４に記載の発明は、請求項１又は請求項２に記載の発明において、建物の壁表に全体が露出した状態で設置すべく、前記底壁を建物の壁側に向けて固定される配線ボックスであり、前記周壁は、ボックス本体内にケーブルを導くための貫通孔を形成する１又は複数の貫通孔形成予定部が設けられ、前記貫通孔形成予定部は、除去可能な閉塞部を備え、閉塞部を除去することで前記貫通孔を形成可能であり、さらに、周壁の全体に亘ってボックス本体内部と外部とは連通していないことを要旨としている。
【００１１】
請求項５に記載の発明は、請求項１又は請求項２に記載の発明において、建物の壁表に全体が露出した状態で設置される配線ボックスであり、前記周壁及び底壁は、その全体に亘ってボックス本体内部と外部とが連通していないことを要旨としている。
【００１２】
請求項６に記載の発明は、請求項１又は請求項２に記載の発明において、コンクリート壁内に埋設される配線ボックスであり、前記周壁及び／又は底壁には、ボックス本体内にケーブルを導くための貫通孔を形成する１又は複数の貫通孔形成予定部が形成され、前記貫通孔形成予定部は、除去可能な閉塞部を備え、閉塞部を除去することで貫通孔を形成可能であることを要旨としている。
【００１３】
請求項７に記載の発明は、請求項１乃至請求項６に記載の発明において、前記ボックス本体の内方に向けて開口するナット挿入口及び前記ナット収容空間は、前記取付部が設けられた周壁の取付部近傍となる周壁内面の少なくとも一部を形成するとともに、ボックス本体の内方にスライド移動する金型のスライド駒によって射出成形時に前記周壁内面とともに形成されたことを要旨としている。
【００１４】
請求項８に記載の発明は、配線器具を取り付けるための取付ビスが螺入されるナットが内装された取付部を備えてなり、一方に開口を有する箱状をなす配線ボックスの開口側に固定され、配線ボックスの開口の一部を残して閉塞するボックスカバーであって、前記ボックスカバーは、前記ボックスに固定される固定部と、前記ボックスの開口を塞ぐ閉塞部と、を有し、前記ボックスの開口の一部を外方へと臨ませるべく前記閉塞部の一部に貫通開口が形成され、前記貫通開口には、前記ナットが内装されるナット収容空間を有した取付部が形成され、前記取付部には、前記ナット収容空間へナットを内装可能なナット挿入口が、前記取付ビスの螺入方向に対して直交する方向であって、前記貫通開口の内方に向けて開口するように設けられていることを要旨としている。
【発明の効果】
【００１５】
本発明によれば、ナット挿入口が外方に露出しない配線ボックス及びボックスカバーを提供することができる。
【発明を実施するための最良の形態】
【００１６】
以下、本発明の第一実施形態の配線ボックスを図１乃至図３に基づいて説明する。図１はナット２１をボックス本体１１の取付部１８に内装した配線ボックス１０の斜視図であり、図２（ａ）は、ナット２１を内装する前のボックス本体１１の断面図であり、図２（ｂ）及び（ｃ）は、ボックス本体１１の取付部１８にナット２１を内装する要部拡大斜視図であり、図３（ａ）及び（ｂ）はナット２１を内装させた状態の断面図である。
【００１７】
図１乃至図３に示すように、配線ボックス１０は前面（一面）に開口する有底四角箱状をなす合成樹脂製のボックス本体１１を有する。ボックス本体１１は、底壁１２と、この底壁１２から立設された周壁１３とから構成されている。前記周壁１３の対向する一方側にはボックス本体内へとケーブルを導くための貫通孔１４が設けられてボックス本体内部と外部とを連通させている。また、他方側には工具等により除去可能な閉塞部１５ａとしての閉塞板により塞がれた貫通孔形成予定部１５が設けられている。当該閉塞板はその全周におけるボックス外方側が周壁１３と同一平面を構成する連結薄肉部１５ｂにより連結されて、ボックス本体外部から視認しにくく目立たないようになっている。また、周壁１３の前面側（開口側）であって、周壁の相対向する位置にそれぞれ向かい合った一対を一組とした配線器具を取り付けるための取付部１８がボックス本体内に向けて周壁１３から突出形成され、該取付部１８と底壁１３との間には空間１７が形成されている。
【００１８】
前記取付部１８は、ボックス本体１１に配線器具を取り付けるために用いられる取付ビスが挿通可能な挿通孔１８ａが形成され、さらに該取付ビスが螺合するナットを内装するためのナット収容空間１８ｂが内部に形成されている。該ナット収容空間１８ｂは、取付部に設けられたボックス本体内方へ向けて開口したナット挿入口１８ｃと連通し、図２（ｂ）に示すように、前記ナット挿入口１８ｃは、ナット２１を前記ナット収容空間へとボックス本体内から押し込むことで挿入可能な大きさに形成され、その連通方向は、前記取付ビスの螺入方向に対して直交する方向となっている。そして、ナット収容空間内には、ナットの厚さよりも幅狭な部分が形成されて、ナットを強制的に圧入することで、ナット収容空間内面とナット外面との摩擦力を大きくして、前記収容空間からの脱落を防ぐとともに、収容空間内部でのナットのがたつきを防止している。
【００１９】
さらに、一組の取付部１８のナット挿入口１８ｃは、それぞれ取付部１８が形成された周壁１３に対して直交する方向であり、両取付部のナット挿入口１８ｃが互いに向かい合うように形成されている。また、ナット収容空間１８ｂの奥方に当接するまでナット２１を挿入することで、図３に示すように、前記取付ビスが挿通される挿通孔１８ａとの軸心が合致した状態にナット２１が配置される。さらに、前記ナット収容空間１８ｃは、取付部が突出形成された周壁１３によってその収容空間内とボックス本体外部とが連通することなく遮断しており、ナット収容空間内へボックス本体外部から雨水や埃等が侵入することはない。そして、前記ナット挿入口１８ｃが、周壁１３に囲まれたボックス本体内方に向けて開口しているため、周壁の外面にナット挿入口１８ｃが露出せず、建物の壁表等のボックス本体が露出する設置場所であっても、美観が良く設置することができる。なお、図２（ｃ）に示すように、ナットに螺入され、ナットを貫通した取付ビスの先端が進入するＵ字状の切欠１８ｄが取付部の底壁側に設けられている。
【００２０】
次いで、上記配線ボックス１１の製造方法について図４に基づいて説明する。図４はボックス本体を射出成形する際の金型の模式図である。図４（ａ）に示すように、ボックス本体の外面側を成形する外金型３１と、ボックス本体の内面側を成形する内金型３２とからなり、外金型３１と内金型３２を密着させて、両金型間に形成された隙間３６に合成樹脂を射出・充填する。その後、両金型を離間させて、成形されたボックス本体１１を取り出す。前記内金型３２にはボックス本体の前記取付部１８と前記底壁１２との間に空間１７を形成する一対のスライド駒３３が設けられ、該一対のスライド駒３３は、前記外金型３１及び内金型３２を離間させる際に、図４（ｂ）に示すように、両スライド駒３３が互いに近接する方向に移動して、成形されたボックス本体１１内から離脱する。
【００２１】
前記スライド駒３３は、ボックス本体の前記ナット収容空間１８ｂ及びナット挿入口１８ｃを形成するための突設部３３ａと、ボックス本体の周壁１３の前記貫通孔１４を形成する貫通孔形成部３３ｂと、前記閉塞部により閉塞された状態の貫通孔形成予定部１５を形成する閉塞貫通孔形成部３３ｃと、取付部１８が形成された周壁の内面を形成する周壁内面形成部３３ｄと、が設けられている。そして、スライド駒３３の図示した矢印方向への移動に伴って突設部３３ａが成形されたナット収容空間から抜け出される。ナット収容空間はナット挿入口により、取付部が形成された周壁と直交する方向であってスライド駒３３の移動方向と同一方向に開口しているため、取付部が形成された周壁の内面（具体的には、取付部と底壁との間に形成された空間の周壁内面、及び、取付部両側の周壁内面）を形成するスライド駒３３を用いて、ナット収容空間及びナット挿入口を形成することができ、単純な金型構造で済む。
【００２２】
続いて、金型から取り出したボックス本体１１に対して、ボックス本体内方に開口したナット挿入口１８ｃからナット２１をナット収容空間１８ｂ内へと押し込んで収容することで、ナットを内装した配線ボックス１０を得ることができる。
【００２３】
次に、第一実施例の配線ボックスの使用方法を図５に基づいて説明する。図に示すように、固定ビス２３を用いて配線ボックス１０の底壁を建物の壁４１に固定し、コンセント４２を取着した配線器具枠４３を取付ビス２２で前記取付部１８に取り付け、前記配線器具枠４３に化粧プレート４４を固定して、コンセントの前面のみを臨ませるように配線ボックスの前面開口の全体を塞ぐ。前記配線ボックス１０の周壁１３に設けられた貫通孔１４には、ボックス本体内に配線されるケーブルの保護管を連結する連結具４５が取り付けられ、前記保護管４６を連結具４５に接着して配線ボックスに連結し、該保護管内に配線されたケーブル４７が配線ボックス本体内に配線されてコンセント４２に接続されている。
【００２４】
前記配線ボックスの対向する一組の取付部１８のピッチは、配線器具枠に設けられた取付ビス２２が貫通する取付孔のピッチと同一に形成されている。また、前記周壁１３が形成する配線ボックスの全体形状は、前記化粧プレート４４の大きさと概略同一に形成されており、化粧プレート４４を固定することで、化粧プレート４４と配線ボックス１０が一体的に見えて美観が良い。なお、図において、ケーブルは一つの貫通孔１４のみから配線ボックス内へと配線されているため、貫通孔形成予定部１５は使用していないが、閉塞部１５ａを除去することで別の連結具及び保護管を配線ボックスに連結して使用することができる。ただし、使用しない場合は図のように除去することなく塞いでおく。
【００２５】
このように設置した配線ボックスは、建物の壁表に配線ボックス１０の全体が露出するようにして設置され、周壁１３に形成された貫通孔は前記連結具及び保護管によって実質的に塞がれて、周壁には配線ボックス内部と外部とを連通する箇所は存在しない。また、従来にあるようなナット挿入口も配線ボックス本体の外方から視認できない。そのため、建物の壁表側であって目に付きやすい場所に設置されていても、その周壁の全体に亘ってナット挿入口が形成されず美観良く設置できるとともに、ナット挿入口へ埃が堆積することが無い。さらには、配線ボックス内部への雨水の侵入を防止できるため、特に屋外の雨がかかるような場所において設置する際に好適である。
【００２６】
次に、本発明の第二実施形態の配線ボックスついて図６に基づいて説明する。図６（ａ）は第二実施形態の配線ボックスの斜視図であり、図６（ｂ）はその断面図である。この第二実施形態は、建物の壁内に隠蔽される、特にコンクリート壁内にコンクリート埋設される際に適した配線ボックスである。第一実施形態と共通する構成は同じ符号とし説明を省略する。
【００２７】
図６に示すように、底壁１２と、この底壁１２から立設された周壁１３とから構成され、底壁１２と対向する前面（一面）に開口する有底四角箱状をなす合成樹脂製のボックス本体１１を有する。前記周壁１３には、閉塞部１５ａとしての閉塞板により閉塞された貫通孔形成予定部１５が複数形成され、前記周壁の内側の略対角となる位置に一対のボックスカバーの取付部１８が突出形成されている。当該取付部１８には、第一実施形態と同様に内部にナット収容空間を備えており、取付部１８のボックス内方に形成されたナット挿入口１８ｃからナット２１を圧入することで、前記ナット収容空間へと収容されている。取付部１８の底壁側には、ボックス本体１１の外方から内方へと凹設された凹設部６７が形成され、凹設部６７と取付部１８の間には螺入される取付ビスの先端が進入する進入空間６８が設けられている。なお、凹設部６７を形成せずにその部分の周壁外面を平坦に構成しても良い。
【００２８】
前記貫通孔形成予定部１５は、閉塞板の全周が周壁と薄肉連結部１５ｂにより全周を隙間無く連結されてコンクリートの侵入を防止している。また、薄肉連結部１５ｂは周壁１３の内面側に設けられ、配線ボックス外方から工具等を用いて閉塞板を殴打することで除去可能となっている。なお、貫通孔形成予定部１５は、周壁１３のみでなく底壁１２にも設けられても良い。また、連結する保護管の配管経路（配線ボックス内へと導くケーブルの配線経路）に柔軟に対応して使用する貫通孔を特定できるように、貫通孔を全て閉塞板により閉塞した貫通孔形成予定部１５とすることが望ましいが、使用する貫通孔の数だけ予め貫通孔を形成しておいても良い。
【００２９】
図７は、前記第二実施形態の配線ボックスをコンクリート壁５１内に埋設する状態を示す。配線ボックス１０の周壁に設けられた前記貫通孔形成予定部の閉塞板を除去して形成した貫通孔にケーブル保護管を連結する連結具４５が取り付けられ、当該連結具にケーブル保護管４６が接続されている。配線ボックスは、図示しないボックス支持具により型枠５２内に固定されて、当該型枠５２に前面の開口が密着させられて、開口からのコンクリートの侵入が防止されている。そして、コンクリート打設後に型枠５２を除去して壁表に臨む開口にボックスカバーをあてがって、前記取付部１８に取付ビスを螺入してボックスカバーを配線ボックスに固定する。
【００３０】
このように、第二実施形態の配線ボックスは、型枠内に固定された状態で開口が型枠５２により塞がれて、実質的にボックス本体内部と外部とを連通させる部分が存在しない。そのため、コンクリートが配線ボックス１０内に侵入することが無く、ナット挿入口を通じてナット収容空間へとコンクリートが侵入して取付ビスが螺入できなくなることも無い。なお、コンクリート壁内に配線ボックスの全体が埋設されてしまうため、第一実施形態のように配線ボックスの全体が露出するものでは無く、前記ナット挿入口がボックス本体外方へと開口し粘着テープ等で塞ぐことでナット挿入口からナット収容空間内へのコンクリートの侵入を防止しても見栄えが悪くなることは無い。しかし、複数のナット挿入口の全てをそれぞれ養生する必要があるとともに、養生を忘れてしまう恐れがある。その点、本形態の配線ボックスは、ナット挿入口を養生する必要が無い。なお、図８に示すように、ボックスカバー６１を予め配線ボックスに取付ビス２２で固定した状態で埋設しても良い。
【００３１】
次に、本発明の第三実施形態のボックスカバーを図９乃至図１０に基づいて説明する。上記各実施形態は、箱状をなす配線ボックスであったのに対して、本形態は配線ボックスの開口の一部を閉塞して配線ボックスに取り付けられるボックスカバーである。当該ボックスカバーには、上記各実施例と同様の構成からなる取付部を備える。共通する構成については、同一符号を付与し説明を省略する。
【００３２】
前記ボックスカバー６１は、配線ボックスの開口の一部を残して全体を塞ぐ閉塞板部６２と、前記一部を外方へ臨ませる立壁６４に囲まれた貫通開口６５と、を備え、当該貫通開口６５には対向した一対を一組とする配線器具を取り付ける取付部１８が設けられている。前記閉塞板部６２には、配線ボックスにボックスカバーを固定するための固定孔６６が設けられている。前記取付部１８には、前記貫通開口側に向けて臨むナット挿入口１８ｃが形成され、当該ナット挿入口から内部に形成されたナット収容空間へとナットが挿入されて取付部１８にナット２１が内装されてボックスカバー６１が形成されている。さらに、前記取付部１８には、ナット収容空間１８ｂに内装されたナット２１に螺合する取付ビスが螺入される挿通孔１８ａが形成されている。また、ナット収容空間の反貫通開口側は立壁６４が連続して形成されて、立壁６４の外方とナット収容空間１８ｂは連通することなく遮断されている。
【００３３】
本形態のボックスカバーは、図１０に示すように、配線ボックス１０の開口側に本形態のボックスカバー６１を固定した状態で、型枠５２に前記立壁６４の先端６４ａを密着するように型枠内に図示しないボックス支持具により配線ボックスを支持させてコンクリート壁５１内に埋設される。そして、型枠除去後に、前記取付部１８に配線器具を取り付ける。前記型枠５２により前記貫通開口から配線ボックス内部へのコンクリートの侵入が防止されているため、前記ナット挿入口１８ｃが前記貫通開口６５側に向けて臨むとともに、外方とは立壁６４により遮断されているナット収容空間１８ｂに、コンクリートが侵入することは無い。なお、本形態のボックスカバー６１は、配線ボックスに固定されて配線ボックスとともに埋設されたが、配線ボックスのみをコンクリート壁内に埋設し、型枠除去後に配線ボックスに取り付けても良い。また、本形態のボックスカバーが固定される配線ボックスは、上記第２実施形態の配線ボックスを用いることが望ましいが、特に限定されるものではない。
【００３４】
上記実施形態によれば、以下のような効果を得ることができる。
（１）ナット挿入口１８ｃがボックス本体１１の周壁１３外面に露出しないため、目に付く場所に配線ボックスを設置しても、見栄えが良い。また、ナット挿入口１８ｃを養生しなくても、雨水や埃、コンクリートが侵入しない。
【００３５】
（２）ナット２１を金型にセットしてから射出成形するインサート成形法と比べて、成形速度が速く、また、成形後にナットを挿入するため、ナットが取付部１８内で傾いて成形されることも無く、成形後のナット状態の確認工程が不要である。
【００３６】
（３）ナット２１を取付ビス２２の螺入方向と直交する方向から挿入するため、取付ビスの螺入時に取付ビスの先端に押されて脱落することが無い。
【００３７】
（４）ナット挿入口１８ｃが突出した取付部１８の基端側と異なる方向（詳しくは、ボックス本体の内方）に形成されているため、取付部の基端を中空にする必要が無くなり、取付部にかかる負荷に対して強く形成することができる。
【００３８】
なお、上記各実施形態は以下のように変更しても良い。
・前記各実施形態において、ナット収容空間１８ｂ内面とナット２１外面との摩擦力を大きくしてナット収容空間１８ｂからの脱落を防止するとともに、ナット収容空間内でのがたつきを防止すべく、ナット収容空間内にナットの厚さ又は幅よりも僅かに狭い部分を形成して、強制的にナットを圧入して取付部１８に内装しても良い。
・ナット２１は六角形板に螺合孔が形成されたものを例で説明したが、その外形が四角であっても八角であっても良く、平板状でなく筒状体であっても良い。また、取付ビス２２の螺回動のみで螺進・螺退できるナットに限らず、取付ビスを押し込むことにより進入を許容するように弾性変形し、その復帰力により取付ビスの軸外面に係止して抜け出しを防止するばね性を備えたナットであっても良い。
【００３９】
・第一実施形態において、取付部１８は一対一組が形成された配線ボックス１０で説明したが、配線ボックスを大型（例えば横長の長方形状）にして複数組を並設し、複数の配線器具を並べて取り付けるようにしても良い。
・底壁１２には、軽量化・材料減のために底壁１２を貫通する肉盗みを形成しても良い。この際、配線ボックス１０を建物壁４１に底壁１２を当接させて固定することにより、配線ボックスの視認可能な部分は周壁及び開口（前面）側となり、前記底壁（底壁に形成された肉盗み）は見栄えに影響しない。
・底壁１２に建物壁に固定するための固定孔が予め貫通形成されていても良い。
【００４０】
・第１実施形態において、貫通孔１４及び／又は貫通孔形成予定部１５は、複数形成されていても良い。
・貫通孔形成予定部１５の閉塞部１５ａとして説明した閉塞板は周壁１３に薄肉連結部１５ｂにより連結されて一体成形されているが、図１１に示すように、閉塞部１５ａを別体とし、周壁に形成された貫通孔１４に螺着又は嵌着して当該貫通孔を閉塞して貫通孔形成予定部１５を構成しても良い。
・貫通孔形成予定部１５や貫通孔１４は周壁１３に設けられているが、底壁１２のみに、又は、周壁１３と底壁１２の両方に設けても良い。
・貫通孔は、ドリル等の穿孔工具を用いて、周壁又は底壁を穿孔して形成しても良い。
・予め形成されている貫通孔１４を１つのみとしたが、使用する数が予め特定されていれば、予め形成する貫通孔を複数をとしても良く、また、貫通孔の全てを除去可能な閉塞板により閉塞された貫通孔形成予定部としても良い。この場合、当該貫通孔形成予定部によって、周壁及び底壁の全体に亘って周壁及び底壁を貫通する貫通孔は存在しないこととなる。
【００４１】
・第一実施形態及び第二実施形態において、取付部１８に配線器具を取り付ける例で説明したが、配線ボックスの開口全体又は開口の一部を閉塞するボックスカバーを取り付けても良い。
・配線ボックス１０の外形は四角形状であったが、横長四角形状であっても、八角形状であっても、図１１に示すように丸形状であっても良い。その時、この配線ボックスに取り付けられる開口を閉塞する前記ボックスカバー６１は同様の形状に変更される。図１１においては、ボックスカバーは丸形状とされ、配線ボックス開口の全体を閉塞できる。なお、丸形状の時であっても、取付部のナット挿入口の開口方向をスライド駒の移動方向と略同一とすることで、丸形周壁の一部を形成するスライド駒を利用してナット挿入口及びナット収容空間を成形することができる。
・ボックス本体の外方に突設するように取着された別体のケーブル保護管の連結具４５は、配線ボックスの周壁に対して一体に成形した連結部としても良い。また、当該連結部は、周壁１３の外方のみに突設しなくとも、周壁の内方のみに、又は、周壁の外方及び内方にともに突設するように設けても良い。また、連結具を使用することなく、直接周壁の貫通孔にケーブル保護管４６を連結しても良い。さらには、ケーブル保護管が周壁１３を貫通して配線ボックス内に挿入されているだけでも良い。
・ケーブル保護管４６は、中空筒状の外面が平滑な管であっても、波付管であっても、基台と蓋体とからなる保護ダクトであっても良く、また、連結具（連結部）との連結は接着でなくとも良い。
【００４２】
・第一実施形態において、取付部１８は周壁の開口側であって底壁１２から離れた位置に突出形成されているが、底壁まで連続して周壁から突出形成されても良い。
【００４３】
・第二実施形態において、ボックスカバーの取付部１８は、略対角位置に一対設けられた例で説明したが、ボックスカバーを固定できれば、位置や数は任意に変更可能である。
【００４４】
・第二実施形態において、コンクリートが侵入しなければ、周壁又は底壁に、配線ボックスを型枠内に固定するボックス支持具を取り付けるため等の貫通孔が形成されていても良い。
【００４５】
・第三実施形態において、前記立壁６４は閉塞板部６２から一方側（前面側）に向けて立ち上がるように立設されているが、他方側（裏面側）に向けて又はその両側に向けて立設されても良い。なお、立壁が他方側に向けて立設した際には、閉塞部の一方面が型枠に当接する。
【図面の簡単な説明】
【００４６】
【図１】第一実施形態の配線ボックスを示す斜視図。
【図２】ボックス本体を示す断面図及び取付部を示す部分拡大斜視図。
【図３】配線ボックスの縦断面図及び平断面図。
【図４】第一実施形態のボックス本体を成形する金型構造の模式図。
【図５】第一実施形態の使用状態を示す縦断面図。
【図６】第二実施形態の配線ボックスを示す斜視図及び縦断面図。
【図７】第二実施形態の配線ボックスをコンクリート埋設した状態を示す縦断面図。
【図８】第二実施形態の配線ボックスにボックスカバーを取り付けてコンクリート埋設された状態を示す縦断面図。
【図９】第三実施形態のボックスカバーを示す斜視図。
【図１０】第三実施形態のボックスカバーを配線ボックスに取り付けてコンクリート埋設した状態を示す縦断面図。
【図１１】別例の配線ボックスを示す斜視図。
【符号の説明】
【００４７】
１０  配線ボックス
１１  ボックス本体
１２  底壁
１３  周壁
１４  貫通孔
１５  貫通孔形成予定部
１８  取付部
１８ａ    挿通孔
１８ｂ    ナット収容空間
１８ｃ    ナット挿入口
２１  ナット
２２  取付ビス
【図１】
2010114972.tif 000003
【図２】
2010114972.tif 000004
【図３】
2010114972.tif 000005
【図４】
2010114972.tif 000006
【図５】
2010114972.tif 000007
【図６】
2010114972.tif 000008
【図７】
2010114972.tif 000009
【図８】
2010114972.tif 000010
【図９】
2010114972.tif 000011
【図１０】
2010114972.tif 000012
【図１１】
2010114972.tif 000013